(57)【要約】 【課題】本発明は、実際の需要に応じて検分対象の所定の時間帯にある操作記録を検分する権限を承認対象に与えることができるが、検分対象の所定の時間帯以外にある操作記録を検分することができない。従って、時間制限に関わるいろいろな場合に検分対象の操作記録を検分する要求を満たし、操作記録の相関のない人員に知られる可能性を低減し、会社の情報安全を向上させる。【解決手段】本発明は、時間帯に基づいて操作記録を検分する権限の設置方法を公開し、一つの承認対象を選定すること、承認対象ごとに一つ或は複数の検分対象を設置し、前記承認対象と検分対象がロール、ユーザー、従業員のうちの同じ種類であること、承認対象ごとに一つの検分権限時間帯を設定し、前記承認対象は、それに対応する検分対象がその承認対象の検分権限時間帯に操作記録を検分する権限を取得することを含む。【選択図】図４
2020530630.tif 000002
【特許請求の範囲】
【請求項１】
時間帯に基づいて操作記録を検分する権限の設置方法であって、
一つの承認対象を選定すること、
承認対象ごとに一つ或は複数の検分対象を設置し、前記承認対象と前記検分対象が、ロール、ユーザー及び従業員のうちの同じ種類であること、
前記承認対象ごとに一つの検分権限時間帯を設定し、前記承認対象は、前記承認対象に対応する検分対象が、前記承認対象の検分権限時間帯に操作記録を検分する権限を取得すること、
前記検分権限時間帯は、
現在時点から固定時間を逆にして得られた時点から、現在時点までの時間帯、開始時点から現在時点までの時間帯、
終了時点から、システムの初期化時点までの時間帯、
開始時点から、終了時点までの時間帯、及び、
システムの初期化時点から、現在時点までの時間帯、という５種類のうちの一つ或は複数を含むこと、を含む設置方法。
【請求項２】
承認対象と検分対象がロールである場合に、前記検分対象は、前記承認対象とするロールであり、或は前記承認対象とするロール以外の全てのロールのうちの一つのロールを除き、
前記承認対象と前記検分対象がユーザーのうちの同じ種類である場合に、前記検分対象は、承認対象とするユーザーであり、或は前記承認対象とするユーザー以外の全てのユーザーのうちの一人のユーザーを除き、
前記承認対象と前記検分対象が従業員のうちの同じ種類である場合に、前記検分対象は、承認対象とする従業員であり、或は承認対象とする従業員以外の全ての従業員のうちの一人の従業員を除く、請求項１に記載の設置方法。
【請求項３】
前記ロールはグループ／クラスではなく、独立した個体であり、一つのロールは同時間に唯一のユーザーを関連付けることができ、一人のユーザーは一つ或は複数のロールを関連付け、前記ユーザーは関連付けられたロールの権限を取得する、請求項１に記載の設置方法。
【請求項４】
ロールを作成した時或は作成した後に前記ロールのために一つの部門を選定すると、前記ロールがその部門に属し、前記ロールの作業内容によりロールを承認し、且つ前記ロールの名称が前記部門に唯一であり、前記ロールの番号がシステムに唯一である、請求項１に記載の設置方法。
【請求項５】
時間帯に基づいて操作記録を検分する権限の設置方法であって、
一つの承認対象を選定すること、
前記承認対象ごとに一つ或は複数の検分対象を設置し、前記承認対象と前記検分対象がロール、ユーザー及び従業員のうちの同じ種類であること、
前記検分対象ごとに一つの検分権限時間帯をそれぞれ設定し、前記承認対象は、前記承認対象に対応する検分対象ごとに各検分対象の検分権限時間帯に操作記録を検分する権限を取得すること、
前記検分権限時間帯は、
現在時点から固定時間を逆にして得られた時点から、現在時点までの時間帯、
開始時点から、現在時点までの時間帯、
終了時点から、システムの初期化時点までの時間帯、
開始時点から、終了時点までの時間帯、及び、
システムの初期化時点から、現在時点までの時間帯、という５種類のうちの一つ或は複数を含むこと、を含む、設置方法。
【請求項６】
時間帯に基づいて操作記録を検分する権限の設置方法であって、
一つのロールを選択して一つの承認対象とすること、
前記承認対象ごとに一つ或は複数の検分対象を設置し、前記検分対象がロールであること、
前記承認対象ごとに一つの検分権限時間帯を設定し、前記承認対象は、前記承認対象に対応する検分対象が前記承認対象の検分権限時間帯に操作記録を検分する権限を取得すること、及び、
前記検分権限時間帯は、
前記承認対象及び其れの現在関連付けるユーザーの関連時点から固定時間を順にして得られた時点から、現在時点までの時間帯、
前記承認対象及び其れの現在関連付けるユーザーの関連時点から固定時間を逆にして得られた時点から、システムの初期化時点までの時間帯、
前記承認対象及び其れの現在関連付けるユーザーの関連時点から、システムの初期化時点までの時間帯、及び、
前記承認対象及び其れの現在関連付けるユーザーの関連時点から、現在時点までの時間帯、という４種類のうちの一つ或は複数を含むこと、を含む設置方法。
【請求項７】
前記検分対象は、承認対象とするロールであり、或は承認対象とするロール以外の全てのロールのうちの一つのロールを除く、請求項６に記載の設置方法。
【請求項８】
前記承認対象ごとに一つの検分権限時間帯を設定する時、前記承認対象及び現在関連付けるユーザーの関連時点を表示する、請求項６に記載の設置方法。
【請求項９】
前記ロールはグループ／クラスではなく、独立した個体であり、一つのロールは同時間に唯一のユーザーを関連付けることができ、一人のユーザーは一つ或は複数のロールを関連付け、ユーザーは関連付けられた前記ロールの権限を取得する、請求項６に記載の設置方法。
【請求項１０】
時間帯に基づいて操作記録を検分する権限の設置方法であって、
一つのロールを選択して一つの承認対象とすること、
前記承認対象ごとに一つ或は複数の検分対象を設置し、前記検分対象がロールであること、
前記検分対象ごとに一つの検分権限時間帯をそれぞれ設定し、前記承認対象は、前記承認対象に対応する検分対象ごとに各検分対象の検分権限時間帯に操作記録を検分する権限を取得すること、及び、
前記検分権限時間帯は、
前記検分対象及び其れの現在関連付けるユーザーの関連時点から固定時間を順にして得られた時点から、現在時点までの時間帯、
前記検分対象及び其れの現在関連付けるユーザーの関連時点から固定時間を逆にして得られた時点から、システムの初期化時点までの時間帯、
前記検分対象及び其れの現在関連付けるユーザーの関連時点から、システムの初期化時点までの時間帯、及び、
前記検分対象及び其れの現在関連付けるユーザーの関連時点から、現在時点までの時間帯、という４種類のうちの一つ或は複数を含むこと、を含む設置方法。
【発明の詳細な説明】
【技術分野】
【０００１】
本発明は、ＥＲＰ等の管理ソフトウェアシステム中のデータを検分する権限の承認方法に関し、特に時間帯に基づいて操作記録を検分する権限の設置方法に関する。
【背景技術】
【０００２】
ロールベースのアクセス制御（ＲＢＡＣ）は、近年最も多く研究されるし、最も成熟したデータベース権限管理メカニズムの一つであり、従来の強制アクセス制御（ＭＡＣ）および自律アクセス制御（ＤＡＣ）に代わる理想的な候補と考えられる。ロールベースのアクセス制御（ＲＢＡＣ）の基本的な考え方は、企業組織ビューのさまざまな機能的位置を分割して異なるロールを形成し、データベースリソースのアクセス権をロールにカプセル化するに従って、ユーザーは、異なるロールを割り当てられることにより、データベースリソースに間接的にアクセスする。
【０００３】
大量のテーブルとビューが大規模なアプリケーションシステムに組み込まれているため、データベースリソースの管理と承認が非常に複雑になる。ユーザーがデータベースリソースのアクセスと権限承認を直接管理することは非常に困難である。ユーザーはデータベース構造を十分に理解し、ＳＱＬ言語の使用に精通している必要があり、アプリケーションシステム構造またはセキュリティ要件が変更されたら、大量の複雑かつ面倒な承認変更を実行するために、予期しない承認エラーに引き起こされるセキュリティ脆弱性が非常に発生しやすい。したがって、大規模なアプリケーションシステムのために簡単かつ効率的な権限の管理方法を設計することは、システムとシステムユーザーの共通の要件になっている。
【０００４】
ロールベースの権限制御メカニズムにより、システムのアクセス権が簡単かつ効率的に管理できる。これにより、システム権限管理の負担とコストが大幅に削減され、さらに、システム権限管理は、アプリケーションシステムのビジネス管理仕様とより一致している。
【０００５】
ただし、従来のロールベースのユーザー権限管理は、「ロール対ユーザー、１対多」の関連付けメカニズムを採用し、「ロール」はグループ／クラスの性質を有する。つまり、一つのロールは複数のユーザーが同時期に対応／関連付できる。ロールは、役職／職務／職位／職種の概念に似ている。この関連付けメカニズムに基づくユーザー権限の承認は、基本的に次の３つの形式と分けられる。１、図１に示すように、ユーザーが直接承認されるが、不利な点は、作業負荷が大きく、操作が頻繁且つ面倒である。２、図２に示すように、ロール（クラス／グループ／職位／役職／職種）は承認され（一つのロールは複数のユーザーを関連付けることができる）、ユーザーはロールを介して権限を取得する。３、図３に示すように、上記の２つの方法が組み合わされている。
【０００６】
上記の説明では、２と３の両方にクラス／グループの性質を有するロールを承認する必要があり、クラス／グループ／役職／職種の性質を有するロールを介する承認及びワークフロー制御の方法には次の欠点がある。１：ユーザーのアクセス権限が変わる場合、操作が難しくなる。実際のシステム使用プロセスでは、多くの場合、運用プロセス中にユーザーの権限を調整する必要がある。たとえば、従業員の権限の変更を処理する場合、ロールの関連付けた従業員の権限を変更するが、ロールは権限の変更されない他の従業員も関連付けたことで、個々の従業員の権限の変更により、ロール全体の権限を変更することができない。そのため、この状況に対応して、権限を変更した従業員に適うために新しいロールを設立するか、権限要件に基づいて従業員を直接承認（ロールからの離脱）する必要がある。上記の２つの処理方法は、ロールの権限が多数ある場合、ロールの承認に長い時間がかかるだけでなく、ミスを犯しやすく、ユーザーの操作がわずらわしく、面倒であり、システムユーザーの損失につながるエラーも発生しやすい。
【０００７】
２：ロールの含む特定の権限を長期的に覚えることは困難である。ロールに複数の権限機能がある場合、時間が経つにつれて、ロールの特定の権限を覚えることは困難になり、権限の類似したロール間の権限差異を覚えるのがより難しくなる。新しいユーザーを関連付けると、どうやって関連付けるかを正確に判断することはできない。
【０００８】
３：ユーザーの権限が変わるため、ロールをますます設立するのをもたらす（新しいロールを設立しない場合、ユーザーに対する直接的な承認が大幅に増加する）。各ロール間の特定の差異を区別することはより困難である。
【０００９】
４：役職を調整するときに、異動するユーザーの多くの権限を他の複数のユーザーに割り当てる場合、異動するユーザーの権限を区分し、他の複数のユーザーを関連付けるためにそれぞれロールを設立する必要があるが、このような操作は、複雑であり、時間がかかるだけでなく、エラーがより発生しやすい。
【００１０】
従来のＥＲＰ等の管理ソフトウェアシステム中には、従業員／ユーザーはが自分の操作記録を検分する権限を取得した後、従業員／ユーザーは自分の全ての操作記録を検分することができるが、幾つかの場合に会社の情報を漏らすことにつながる。例えば、張三は販売経理から生産主任に異動した後、生産主任に就任した後に張三は販売承認操作記録を検分することに関わらず、ただし、張三が自分の承認操作記録の権限を有するため、張三は依然として自分の販売経理を以前務めた時の承認操作記録を検分することができる（例えば、販売契約の承認記録）。この時に、会社は有効的な制限措置を採ることができないので（張三に自分の承認操作記録を検分する権限を与えない場合に、自分の生産主任を現在務める承認操作記録を検分することができないのにつながり、張三が正常に作業を行わないことをもたらす）、従って、会社の情報を漏らすことにつながる。例えば、別の従業員Ｂの所定の時間帯にある操作記録を調査するのに某従業員Ａを一時転任する時に、従業員Ｂの操作記録を検分する権限をその従業員Ａに与える必要があり、権限を取得した後、その従業員Ａは従業員Ｂの全ての操作記録を検分することができる。従って従業員Ｂの全ての操作記録中に調査を必要とする操作記録以外の操作記録が洩れるのにつながる。これから、操作記録を検分する権限の現有の承認方法は、幾つかの場合に権限制御を有効的に行うことができなく、会社の情報保護に不利であり、会社に損失をもたらし易い。
【００１１】
操作記録を検分する従来の承認方法は、「ロール（承認対象／検分対象）と其れの現在関連付けるユーザーの関連時点を参照時点とする」の方式／規則で動的な検分権限時間帯を設定することができない。例えば、企業は、一つのロールに幾つかのロールの操作記録を検分する権限を与えるのにその関連時点を参照時点として検分時間帯を設定しようとするが、その関連時点が動的であり（従業員の入職や異動や離職等の多くの要因は、それに対応するユーザーの関連付けたロールを変動させると、その関連時点を不確定にさせる）、全ての従来の方法に時間帯を動的に承認する方案がない。ただし、本発明の方法は十分に解決することができる。
【発明の概要】
【発明が解決しようとする課題】
【００１２】
本発明の目的は、現行技術の欠陥を克服し、時間帯に基づいて操作記録を検分する権限の設置方法を提供する。
【課題を解決するための手段】
【００１３】
本発明の目的は、以下の技術的手段により達成される。時間帯に基づいて操作記録を検分する権限の設置方法は、一つの承認対象を選定すること；承認対象ごとに一つ或は複数の検分対象を設置し、前記承認対象と検分対象がロール、ユーザー、従業員のうちの同じ種類であること；承認対象ごとに一つの検分権限時間帯を設定し、前記承認対象は、それに対応する検分対象がその承認対象の検分権限時間帯に操作記録を検分する権限を取得すること；前記検分権限時間帯は、現在時点から固定時間を逆にして得られた時点から、現在時点までの時間帯、開始時点から現在時点までの時間帯、終了時点からシステムの初期化時点までの時間帯、開始時点から終了時点までの時間帯、及び、システムの初期化時点から現在時点までの時間帯という５種類のうちの一つ或は複数を含むこと、を含む。
【００１４】
優先的に、承認対象と検分対象が全てロールである場合に、その検分対象は、承認対象とするロールであり、或は承認対象とするロール以外の全てのロールのうちの一つのロールを除き、承認対象と検分対象が全てユーザーである場合に、その検分対象は、承認対象とするユーザーであり、或は承認対象とするユーザー以外の全てのユーザーのうちの一人のユーザーを除き、承認対象と検分対象が全て従業員である場合に、その検分対象は、承認対象とする従業員であり、或は承認対象とする従業員以外の全ての従業員のうちの一人の従業員を除く。
【００１５】
前記ロールはグループ／クラスではなく、独立した個体であり、一つのロールは同時間に唯一のユーザーを関連付けることができ、一人のユーザーは一つ或は複数のロールを関連付け、ユーザーはそれの関連付けたロールの権限を取得する。
【００１６】
優先的に、ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【００１７】
時間帯に基づいて操作記録を検分する権限の設置方法は、一つの承認対象を選定すること；承認対象ごとに一つ或は複数の検分対象を設置し、前記承認対象と検分対象がロール、ユーザー、従業員のうちの同じ種類であること；検分対象ごとに一つの検分権限時間帯をそれぞれ設定し、前記承認対象は、それに対応する検分対象ごとが各検分対象の検分権限時間帯に操作記録を検分する権限を取得すること；前記検分権限時間帯は、現在時点から固定時間を逆にして得られた時点から現在時点までの時間帯、開始時点から現在時点までの時間帯、終了時点からシステムの初期化時点までの時間帯、開始時点から終了時点までの時間帯、システムの初期化時点から現在時点までの時間帯という５種類のうちの一つ或は複数を含むことを含む。
【００１８】
時間帯に基づいて操作記録を検分する権限の設置方法は、一つのロールを選択して一つの承認対象とすること；承認対象ごとに一つ或は複数の検分対象を設置し、前記検分対象がロールであること；承認対象ごとに一つの検分権限時間帯を設定し、前記承認対象は、それに対応する検分対象がその承認対象の検分権限時間帯に操作記録を検分する権限を取得すること；前記検分権限時間帯は、その承認対象及び其れの現在関連付けるユーザーの関連時点から固定時間を順にして得られた時点から現在時点までの時間帯、その承認対象及び其れの現在関連付けるユーザーの関連時点から固定時間を逆にして得られた時点からシステムの初期化時点までの時間帯、その承認対象及び其れの現在関連付けるユーザーの関連時点からシステムの初期化時点までの時間帯、その承認対象及び其れの現在関連付けるユーザーの関連時点から現在時点までの時間帯という４種類のうちの一つ或は複数を含むことを含む。
【００１９】
優先的に、前記検分対象は、承認対象とするロールであり、或は承認対象とするロール以外の全てのロールのうちの一つのロールを除く。
【００２０】
優先的に、承認対象ごとに一つの検分権限時間帯を設定する時、その承認対象及び其れの現在関連付けるユーザーの関連時点を表示する。
【００２１】
前記ロールはグループ／クラスではなく、独立した個体であり、一つのロールは同時間に唯一のユーザーを関連付けることができ、一人のユーザーは一つ或は複数のロールを関連付け、ユーザーはそれの関連付けたロールの権限を取得する。
【００２２】
時間帯に基づいて操作記録を検分する権限の設置方法は、一つのロールを選択して一つの承認対象とすること；承認対象ごとに一つ或は複数の検分対象を設置し、前記検分対象がロールであること；検分対象ごとに一つの検分権限時間帯をそれぞれ設定し、前記承認対象は、それに対応する検分対象ごとが各検分対象の検分権限時間帯に操作記録を検分する権限を取得すること；前記検分権限時間帯は、その検分対象及び其れの現在関連付けるユーザーの関連時点から固定時間を順にして得られた時点から現在時点までの時間帯、その検分対象及び其れの現在関連付けるユーザーの関連時点から固定時間を逆にして得られた時点からシステムの初期化時点までの時間帯、その検分対象及び其れの現在関連付けるユーザーの関連時点からシステムの初期化時点までの時間帯、その検分対象及び其れの現在関連付けるユーザーの関連時点から現在時点までの時間帯という４種類のうちの一つ或は複数を含むことを含む。
【００２３】
前記ロールはグループ／クラスではなく、独立した個体であり、一つのロールは同時間に唯一のユーザーを関連付けることができ、一人のユーザーは一つ或は複数のロールを関連付け、ユーザーはそれの関連付けたロールの権限を取得する。
【００２４】
優先的に、ロールはユーザーとの１対１の関係にある（そのロールは一人のユーザーと関連付ける時、他のユーザーがそのロールを再度関連付けることができない。そのロールがユーザーに関連付けられないと、他のユーザーに選択されて関連付けられる。つまり、同時期に一つのロールは一人のユーザーのみを関連付けることができる）。ユーザーはロールとの１対多の関係にある（一人のユーザーは同時期に複数のロールと関連付けることができる）。
【００２５】
優先的に、「承認対象及び其れの現在関連付けるユーザーの関連時点」、「検分対象及び其れの現在関連付けるユーザーの関連時点」のうちの「関連時点」は多くなると（その承認対象及び其れの現在関連付けるユーザーは曾て関連付けた可能性があり、又は、その検分対象及び其れの現在関連付けるユーザーは曾て関連付けた可能性がある）、前回の関連時点のみを自動的に採用する。
【発明の効果】
【００２６】
本発明の有益な効果は次のとおりである。（１）本発明は、実際の需要に応じて検分対象の所定の時間帯にある操作記録を検分する権限を承認対象に与えることができるが、検分対象の所定の時間帯以外にある操作記録を検分することができない。従って、時間制限に関わるいろいろな場合に検分対象の操作記録を検分する要求を満たし、操作記録の相関のない人員に知られる可能性を低減し、会社の情報安全を向上させる。
【００２７】
例えば、販売経理１というロールに販売員１及び販売員２という二つのロールの２０１６年以降にわたる操作記録のみを検分させようとすると、販売経理１の販売員１及び販売員２の操作記録に対する検分権限時間帯を２０１６年から今までと設定することができる（検分権限時間帯を販売経理１に対して設定する。従って、販売経理１は、自分の検分権限時間帯で検分対象とする販売員１と販売員２の操作記録を検分する）。内部監査人１というロールに調達経理１というロールの２０１４年５月〜２０１７年５月にわたる操作記録のみを審査させようとすると、内部監査人１の調達経理１の操作記録を検分する検分権限時間帯の開始時点を２０１４年５月と設定し、終了時点を２０１７年５月と設定する（検分権限時間帯を内部監査人１に対して設定する。従って、内部監査人１は、自分の検分権限時間帯で検分対象とする調達経理１の操作記録を検分する）。
【００２８】
例えば、２０１６年５月１日に張三は販売経理から生産主任に異動し、張三の自分を検分する検分権限時間帯を２０１６年５月１日から今までと設定することができ、異動した後に張三に自分の販売経理とする時（２０１６年５月１日以前）の承認操作記録を検分させることができないが、２０１６年５月１日以降自分の生産主任とする操作記録を検分することができる。張三は正常に作業が行われながら会社の情報安全を保護させる。
【００２９】
(２)本発明に、ロール及び其れの現在関連付けたユーザーの関連時点に基づいて時間帯を設定することができ、ロールの以前関連付けたユーザーの操作記録とロールの現在関連付けるユーザーの操作記録を快速に区別することができる。
【００３０】
例えば、財務経理１というロールに対して、財務経理１を関連付けたユーザー（現在ユーザー）ごとに自分の操作記録のみを検分させようとすると、財務経理１の自分の操作記録に対する検分権限時間帯を財務経理１及びそれの現在関連付けるユーザーの関連時点から今までと設定することができる。
【００３１】
本発明の方法は、「ロール（承認対象／検分対象）と其れの現在関連付けるユーザーの関連時点を参照時点とする」の方式で動的な検分権限時間帯を設定することができ、詳細化管理にもっと有利である。
【００３２】
(３)承認対象／検分対象ごとに一つの検分権限時間帯を設定する時に、その承認対象／検分対象と其れの現在関連付けるユーザーの関連時点を表示し、承認対象／検分対象と其れの現在関連付けるユーザーの関連時点を承認操作者に速くて正確に知らせることができ、承認の正確性及び速度を向上させる。
【００３３】
(４)従来の権利管理メカニズムでは、ロールをグループ、職種、職位、クラスなどに定義し、ロールがユーザーとの１対多の関係にあり。実際にシステムを使用するプロセスでは、運用プロセス中にユーザーの権限を調整する必要がある。たとえば、従業員の権限変更を処理する場合、ロールを関連付ける従業員の権限が変更され、このロールは権限の変更しない他の従業員を関連付けるので、個々の従業員の権限を変更したため、全体のロールの権限が変更できない。そのため、この状況に対応して、権限の変更した従業員に適うために新しいロールを設立するか、権限要件に基づいて従業員を直接承認（ロールからの離脱）する。上記の２つの処理方法は、ロールの権限が多数ある場合、ロールの承認に長い時間がかかるだけでなく、ミスを犯しやすく、ユーザーの操作がわずらわしく、面倒であり、システムユーザーの損失につながるエラーも発生しやすい。
【００３４】
しかし、本発明の方法では、ロールが独立した個体であるため、ロール権限を変更して目標を達成することができる。本発明の方法は、システムの初期化時にワークロードを増加させるように見えるが、ロールの作成或は権限授与の効率は、コピーなどの方法によってグループの性質を有する従来のロールより高くさせる。ユーザーを関連つける時にグループの性質を有するロールの共通性を考慮しないため、この発明技術的手段は、承認設定を明確にさせる。特に、システムが一定期間使用された後（ユーザー／ロールの権限が動的に変化している）、この発明技術的手段は、システム使用時のシステム管理の効率を大幅に向上させ、動的認証をより簡単、便利、明確にさせ、権限設定の効率と信頼性を向上させる。
【００３５】
(５) 従来のグループの性質を有するロールの承認方法はエラーが発生しやすく、本発明の方法では、従来の方法でこのグループの性質を有するロールを関連付ける複数のユーザーにどのような共通性があるかを考慮することなく、ロールを独立した個体として考慮するだけでよいため、本発明の方法は権限エラーの確率を大幅に低減させる。承認エラーが発生した場合でも、ロールを関連付けるその一人のユーザーのみに影響するが、従来のグループの性質を有するロールはそのロールを関連付ける全部のユーザーに影響する。承認エラーが発生した場合でも、本発明の修正方法は簡単であり、時間が短く、従来のグループの性質を有するロールはエラーを修正する時にそのロールを関連付ける全部のユーザーの共通性を考えなければならない。機能ポイントが多い場合、変更が面倒且つ複雑であるだけでなく、非常にエラーが発生しやすく、且つ多くの場合、新しいロールを作成するだけで解決できる。
【００３６】
(６) 従来のグループの性質を有するロールの承認方法では、ロールの権限機能ポイントが多くある場合、時間が長くなると、ロールの具体的な権限を覚えにくく、権限の近付くロールの間の区別を覚えるのはより困難である。本発明の方法のロール自身は、役職番号／職務番号の性質を有しており、選択は明らかである。
【００３７】
(７) 異動するときに、異動されたユーザーの多くの権限を他のユーザーに割り当てる場合、処理する時に異動されたユーザーのこれ等の権限を区別して、他のユーザーを関連付けるようにロールをそれぞれ作成する必要がある。このような操作は、複雑であり、時間がかかるだけでなく、エラーが発生しやすくなる。
【００３８】
本発明の方法は次のとおりである。異動されたユーザーはいくつかのロールを関連付け、異動する場合、まず元の部門のロールとユーザーの関連を取り消し（これ等の取り消されたロールは他のユーザーに再度関連付けることができる）、ユーザーは新しい部門のロールを関連付けてもよい。操作は簡単であり、エラーが現れない。
【００３９】
(８)ロールを作成する時或は後、一つの部門を選定する必要としてそのロールがその部門に属した後、部門が変更できず、ロールは部門が変更できないのはなぜであるか？理由１：本発明のロールの性質は役職番号／職務番号と同等であるため、様々な役職番号／職務番号の作業内容／権限は異なる。例えば、販売部門の販売員１のロールと技術部門の開発者１のロールは、２つの役職番号／職務番号がまったく異なり、権限が違う。理由２：販売員１のロールの部門（販売部門）が技術部門に置き換えられる場合、販売員１のロールを変更しないと、技術部門には販売部門の権限を有するロールがある。これは、管理の混乱とセキュリティの脆弱性につながる可能性がある。
【図面の簡単な説明】
【００４０】
【図１】図１は、背景技術においてシステムがユーザーを直接承認する方法の概略図である。
【図２】図２は、背景技術においてシステムがグループ／クラスの性質を有するロールを承認する方法の概略図である。
【図３】図３は、背景技術においてシステムがユーザーを直接承認し、グループ／クラスの性質を有するロールを承認して組み合わせる方法の概略図である。
【図４】図４は、本発明の一種の実施状態のローチャートである。
【図５】図５は、本発明のシステムにおいて独立した個体の性質を有するロールを介してユーザーを承認する方法の概略図である。
【図６】図６は、本発明のもう一種の実施状態のローチャートである。
【発明を実施するための形態】
【００４１】
本発明の技術的手段は、添付の図面を参照して以下でさらに詳細に説明されるが、本発明の保護範囲は以下に限定されない。
【実施例１】
【００４２】
図４に示すように、時間帯に基づいて操作記録を検分する権限の設置方法は、以下のステップを含む。
【００４３】
Ｓ１１、一つの承認対象を選定する。
【００４４】
Ｓ１２、承認対象ごとに一つ或は複数の検分対象を設置する。
【００４５】
前記承認対象と検分対象がロール、ユーザー、従業員のうちの同じ種類である。つまり、承認対象がロールである時に検分対象もロールであり、承認対象がユーザーである時に検分対象もユーザーであり、承認対象が従業員である時に検分対象も従業員である。
【００４６】
図５に示すように、前記ロールはグループ／クラスではなく、独立した個体であり、一つのロールは同時間に唯一のユーザーを関連付けることができ、一人のユーザーは一つ或は複数のロールを関連付け、ユーザーはそれの関連付けたロールの権限を取得する。ロールを作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【００４７】
ロールの定義：ロールは、グループ／クラス／カテゴリ／役職／職位／職務／職種の性質を有しないが、非集合の性質を有する。ロールは唯一性を有し、独立して存在している個体である。ロールは企業や機関の応用で役職番号と同等である（役職番号はここで役職ではなく、一つの役職に同時に複数の従業員がいるが、一つの役職番号は同時に一人の従業員にしか対応できない）。
【００４８】
たとえば、会社のシステムは次のロールを設立する可能性がある。総経理、副総経理１、副総経理２、北京販売部Ｉの経理、北京販売部ＩＩの経理、北京販売部ＩＩＩの経理、上海販売エンジニア１、上海販売エンジニア２、上海販売エンジニア３、上海販売エンジニア４、上海販売エンジニア５ 等。ユーザーとロールの関連関係：その会社の従業員である張三は、会社の副総経理２を務め、同時に北京販売部Ｉの経理を務める場合、張三は副総経理２及び北京販売部Ｉの経理というロールを関連付ける必要がある。張三は両方のロールに対する権限を持っている。
【００４９】
従来のロールの概念は、グループ／クラス／役職／職位／職務／職種の性質であり、一つのロールは複数のユーザーに対応できる。本発明の「ロール」（独立した個体の性質を有するロール）の概念は、役職番号／職務番号と同等であり、映画やテレビドラマのロールに似ている。一つのロールは一つの俳優のみに同時に（幼年、少年、中年．．．
）演じられ、一つの俳優は複数のロールを演じることができる。
【００５０】
前記ユーザーが異動する時、ユーザーと元の部門のロールの関連を取り消し、ユーザーを新しい部門のロールに関連付けると、ユーザーは元のロールの権限を自動的に失って新しいロールの権限を自動的に取得する。つまり、ユーザーはそれの関連付けたロールの権限を取得する。
【００５１】
従業員が入職する時、従業員に対応するユーザーにロールを関連付けた後、そのユーザーはそれの関連付けたロールの権限を自動的に取得する。従業員が離職する時、従業員に対応するユーザーとそのユーザーの関連付けたロールの関連関係を取り消した後、そのユーザーは元々関連付けたロールの権限を自動的に失う。
【００５２】
ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係がいつでも確立できる。
【００５３】
一人の従業員が一人のユーザーに対応し、一人のユーザーが一人の従業員に対応し、従業員がそれに対応するユーザーの関連付けるロールにより権限を決定（取得）する。
【００５４】
更に、従業員がユーザーを一生結びつけ、ユーザーが従業員に対応した後、従ってそのユーザーがその従業員に属し、ユーザーが他のロールを関連付けることができない。その従業員が離職する場合、そのユーザーは他のロールにも対応することができない。従業員が再度入職した後、その従業員が依然として元のユーザーを使用する。
【００５５】
承認対象と検分対象が全てロールである場合に、その検分対象は、承認対象とするロールであり、或は承認対象とするロール以外の全てのロールのうちの一つのロールを除き、承認対象と検分対象が全てユーザーである場合に、その検分対象は、承認対象とするユーザーであり、或は承認対象とするユーザー以外の全てのユーザーのうちの一人のユーザーを除き、承認対象と検分対象が全て従業員である場合に、その検分対象は、承認対象とする従業員であり、或は承認対象とする従業員以外の全ての従業員のうちの一人の従業員を除く。つまり、承認対象（ロール／ユーザー／従業員）のために他のロール／ユーザー／従業員の操作記録を検分する時間帯を設定することができるだけでなく、承認対象のために自分の操作記録を検分する時間帯を設定することもできる。
【００５６】
Ｓ１３、承認対象ごとに一つの検分権限時間帯を設定し、前記承認対象は、それに対応する検分対象がその承認対象の検分権限時間帯に操作記録を検分する権限を取得する。
【００５７】
前記検分権限時間帯は、現在時点から固定時間を逆にして得られた時点から現在時点までの時間帯（現在時点は動的である）、開始時点から現在時点までの時間帯、終了時点からシステムの初期化時点までの時間帯、開始時点から終了時点までの時間帯、システムの初期化時点から現在時点までの時間帯という５種類のうちの一つ或は複数を含む。
【００５８】
検分権限時間帯を設置する単位は年、月、日、時、分、秒などである。
【００５９】
以下は、例を挙げて上記の５つの時間帯を説明する。現在時点から固定時間を逆にして得られた時点から現在時点までの時間帯は、例えば、２０１７年６月２０日に、ロール１（承認対象）に対しては、２０１７年６月２０日から６日間を逆にして得られた時点から２０１７年６月２０日（即ち、現在時点、確定の時点ではない）までの時間帯にあるロール２（検分対象）の操作記録を検分する権限を与え、即ち、ロール１は、２０１７年６月２０日に、２０１７年６月１５日から２０１７年６月２０日までのロール２の操作記録を即日検分することができ、２０１７年６月２１日に、２０１７年６月１６日から２０１７年６月２１日までのロール２の操作記録を即日検分することができ、２０１７年６月２２日に、２０１７年６月１７日から２０１７年６月２２日までのロール２の操作記録を即日検分することができ、その他もろもろ、枚挙にいとまがない。つまり、この時間帯の長さが固定になり、開始時点と終了時点は全て変化できる。
【００６０】
開始時点から現在時点までの時間帯（現在時点は動態的である）は、例えば、ロール１（承認対象）に対しては、２０１５年５月１日に２０１５年２月１日から即日（現在）までのロール２（検分対象）の操作記録を検分する権限を与えると、ロール１は、２０１５年２月１日から２０１５年５月１日までのロール２の操作記録を検分することができる。２０１５年５月２日に、ロール１は、２０１５年２月１日から２０１５年５月２日までのロール２の操作記録を検分することができる（更に、開始時点は開始時点を含まないと説明することもできる。開始時点を含まないと、ロール１は、２０１５年２月１日のロール２の操作記録を検分することができず、２０１５年２月１日以降のロール２の操作記録のみを検分することができる）。
【００６１】
終了時点からシステムの初期化時までの時間帯は、例えば、ロール１（承認対象）に対しては、２０１５年２月１日からシステムの初期化時までのロール２（検分対象）の操作記録を検分する権限を与えると、ロール１は、２０１５年２月１日からシステムの初期化時までのロール２の操作記録を検分することができる(つまり、ロール１は、２０１５年２月１日及びその時点以前のロール２の操作記録を検分することができる)(更に、終了時点は終了時点を含まないと説明することもできる。終了時点を含まないと、ロール１は、２０１５年２月１日のロール２の操作記録を検分することができず、２０１５年２月１日以前のロール２の操作記録のみを検分することができる。さらに、システムの初期化時点が設定できず、終了時点のみを設定すると、ロール１は、終了時点とその以前のロール２の操作記録を検分することができる。又は、ロール１は、終了時点以前のロール２の操作記録を検分することができる)。
【００６２】
開始時点から終了時点までの時間帯は、例えば、ロール１（承認対象）に対しては、２０１５年２月１日から２０１５年６月１日までのロール２（検分対象）の操作記録を検分する権限を与えると、ロール１は、２０１５年２月１日から２０１５年６月１日でのロール２の操作記録を検分することができる。
【００６３】
システムの初期化時から現在時点までの時間帯（現在時点は動態的である）は、例えば、２０１７年６月１日に、システムの初期化時点から現在時点までのロール２（検分対象）の操作記録を検分することができるようにロール１（承認対象）に権限を与えると、ロール１は、２０１７年６月１日に、システムの初期化時点から２０１７年６月１日までのロール２の操作記録を検分することができ、２０１７年６月２日に、システムの初期化時点から２０１７年６月２日までのロール２の操作記録を検分することができ、その他もろもろ、枚挙にいとまがない。
【００６４】
前記終了時点と開始時点は全て手動で設定される。
【実施例２】
【００６５】
図６に示すように、時間帯に基づいて操作記録を検分する権限の設置方法は、以下のステップを含む。Ｓ２１：一つの承認対象を選定する。
【００６６】
Ｓ２２：承認対象ごとに一つ或は複数の検分対象を設置する。
【００６７】
前記承認対象と検分対象がロール、ユーザー、従業員のうちの同じ種類である。つまり、承認対象がロールである時に検分対象もロールであり、承認対象がユーザーである時に検分対象もユーザーであり、承認対象が従業員である時に検分対象も従業員である。
【００６８】
前記ロールはグループ／クラスではなく、独立した個体であり、一つのロールは同時間に唯一のユーザーを関連付けることができ、一人のユーザーは一つ或は複数のロールを関連付け、ユーザーはそれの関連付けたロールの権限を取得する。ロール（独立した個体の性質を有するロール）を作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【００６９】
前記ユーザーが異動する時、ユーザーと元の部門のロールの関連を取り消し、ユーザーを新しい部門のロールに関連付けると、ユーザーは元のロールの権限を自動的に失って新しいロールの権限を自動的に取得する。つまり、ユーザーはそれの関連付けたロールの権限を取得する。
【００７０】
従業員が入職する時、従業員に対応するユーザーにロールを関連付けた後、そのユーザーはそれの関連付けたロールの権限を自動的に取得する。従業員が離職する時、従業員に対応するユーザーとそのユーザーの関連付けたロールの関連関係を取り消した後、そのユーザーは元々関連付けたロールの権限を自動的に失う。
【００７１】
ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係がいつでも確立できる。
【００７２】
一人の従業員が一人のユーザーに対応し、一人のユーザーが一人の従業員に対応し、従業員がそれに対応するユーザーの関連付けるロールにより権限を決定（取得）する。
【００７３】
更に、従業員がユーザーを一生結びつけ、ユーザーが従業員に対応した後、従ってそのユーザーがその従業員に属し、ユーザーが他のロールを関連付けることができない。その従業員が離職する場合、そのユーザーは他のロールにも対応することができない。従業員が再度入職した後、その従業員が依然として元のユーザーを使用する。
【００７４】
前記承認対象がロールである時、その検分対象は、承認対象とするロールであり、或は承認対象とするロール以外の全てのロールのうちの一つのロールを除く。
【００７５】
承認対象と検分対象が全てロールである場合に、その検分対象は、承認対象とするロールであり、或は承認対象とするロール以外の全てのロールのうちの一つのロールを除き、承認対象と検分対象が全てユーザーである場合に、その検分対象は、承認対象とするユーザーであり、或は承認対象とするユーザー以外の全てのユーザーのうちの一人のユーザーを除き、承認対象と検分対象が全て従業員である場合に、その検分対象は、承認対象とする従業員であり、或は承認対象とする従業員以外の全ての従業員のうちの一人の従業員を除く。つまり、承認対象（ロール／ユーザー／従業員）のために他のロール／ユーザー／従業員の操作記録を検分する時間帯を設定することができるだけでなく、承認対象のために自分の操作記録を検分する時間帯を設定することもできる。
【００７６】
Ｓ２３：検分対象ごとに一つの検分権限時間帯をそれぞれ設定し、前記承認対象は、それに対応する検分対象ごとが各検分対象の検分権限時間帯に操作記録を検分する権限を取得する。
【００７７】
前記検分権限時間帯は、現在時点から固定時間を逆にして得られた時点から、現在時点までの時間帯、開始時点から現在時点までの時間帯、終了時点からシステムの初期化時点までの時間帯、開始時点から終了時点までの時間帯、及び、システムの初期化時点から現在時点までの時間帯という５種類のうちの一つ或は複数を含む。
【００７８】
検分権限時間帯を設置する単位は年、月、日、時、分、秒などである。
【００７９】
前記終了時点と開始時点は全て手動で設定される。
【実施例３】
【００８０】
時間帯に基づいて操作記録を検分する権限の設置方法は、以下のステップを含む。Ｓ３１、一つロールを選択して一つの承認対象をとする。
【００８１】
前記ロールはグループ／クラスではなく、独立した個体であり、一つのロールは同時間に唯一のユーザーを関連付けることができ、一人のユーザーは一つ或は複数のロールを関連付け、ユーザーはそれの関連付けたロールの権限を取得する。ロール（独立した個体の性質を有するロール）を作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【００８２】
前記ユーザーが異動する時、ユーザーと元の部門のロールの関連を取り消し、ユーザーを新しい部門のロールに関連付けると、ユーザーは元のロールの権限を自動的に失って新しいロールの権限を自動的に取得する。つまり、ユーザーはそれの関連付けたロールの権限を取得する。
【００８３】
従業員が入職する時、従業員に対応するユーザーにロールを関連付けた後、そのユーザーはそれの関連付けたロールの権限を自動的に取得する。従業員が離職する時、従業員に対応するユーザーとそのユーザーの関連付けたロールの関連関係を取り消した後、そのユーザーは元々関連付けたロールの権限を自動的に失う。
【００８４】
ロールを作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係がいつでも確立できる。
【００８５】
一人の従業員が一人のユーザーに対応し、一人のユーザーが一人の従業員に対応し、従業員がそれに対応するユーザーの関連付けるロールにより権限を決定（取得）する。
【００８６】
更に、従業員がユーザーを一生結びつけ、ユーザーが従業員に対応した後、従ってそのユーザーがその従業員に属し、ユーザーが他のロールを関連付けることができない。その従業員が離職する場合、そのユーザーは他のロールにも対応することができない。従業員が再度入職した後、その従業員が依然として元のユーザーを使用する。
【００８７】
Ｓ３２：承認対象ごとに一つ或は複数の検分対象を設置し、前記検分対象がロールである。
【００８８】
前記検分対象は、承認対象とするロールであり、或は承認対象とするロール以外の全てのロールのうちの一つのロールを除く。
【００８９】
Ｓ３３：承認対象ごとに一つの検分権限時間帯を設定し、前記承認対象は、それに対応する検分対象がその承認対象の検分権限時間帯に操作記録を検分する権限を取得する。
【００９０】
承認対象ごとに一つの検分権限時間帯を設定する時、その承認対象及び其れの現在関連付けるユーザーの関連時点を表示する。
【００９１】
前記検分権限時間帯は、その承認対象及び其れの現在関連付けるユーザーの関連時点から固定時間を順にして得られた時点から、現在時点までの時間帯、その承認対象及び其れの現在関連付けるユーザーの関連時点から固定時間を逆にして得られた時点から、システムの初期化時点までの時間帯、その承認対象及び其れの現在関連付けるユーザーの関連時点から、システムの初期化時点までの時間帯、及び、その承認対象及び其れの現在関連付けるユーザーの関連時点から、現在時点までの時間帯という４種類のうちの一つ或は複数を含む。
【００９２】
以下は、例を挙げて上記の４つの時間帯を説明する。その承認対象及び其れの現在関連付けるユーザーの関連時点から固定時間を順にして得られた時点から現在時点までの時間帯。例えば、ロール１及び其れの現在関連付けるユーザーの関連時点が２０１６年５月１日であり、ロール１のロール２に対する操作記録の検分権限時間帯を、そのロール１及び其れの現在関連付けるユーザーの関連時点から二か月間を順にして得られた時点から現在時点までの時間帯と設定する。従って、ロール１は、ロール２の２０１６年３月１日以降にわたる全ての操作記録を検分することができる。
【００９３】
その承認対象及び其れの現在関連付けるユーザーの関連時点から固定時間を逆にして得られた時点からシステムの初期化時点までの時間帯。例えば、ロール１の現在関連付けるユーザーの関連時点が２０１６年５月１日であり、ロール１のロール２に対する操作記録の検分権限時間帯を、ロール１及び其れの現在関連付けるユーザーの関連時点から二か月間を逆にして得られた時点からシステムの初期化時点までの時間帯と設定する。従って、ロール１は、ロール２の２０１６年７月１日以前にわたる全ての操作記録を検分することができる。
【００９４】
その承認対象及び其れの現在関連付けるユーザーの関連時点から、システムの初期化時点までの時間帯。例えば、ロール１の現在関連付けるユーザーの関連時点が２０１６年５月１日であり、ロール１のロール２に対する操作記録の検分権限時間帯を、ロール１及び其れの現在関連付けるユーザーの関連時点からシステムの初期化時点までの時間帯と設定する。従って、ロール１は、ロール２の２０１６年５月１日以前にわたる全ての操作記録を検分することができる。
【００９５】
その承認対象及び其れの現在関連付けるユーザーの関連時点から、現在時点までの時間帯。例えば、ロール１の現在関連付けるユーザーの関連時点が２０１６年５月１日であり、ロール１のロール２に対する操作記録の検分権限時間帯を、ロール１及び其れの現在関連付けるユーザーの関連時点から現在時点までの時間帯と設定する。従って、ロール１は、ロール２の２０１６年５月１日以降にわたる全ての操作記録を検分することができる。もう例えば、ロール１の現在関連付けるユーザーの関連時点が２０１６年５月１日であり、ロール１（承認対象）のロール１（検分対象、即ち、検分対象は承認対象の自身である）に対する操作記録の検分権限時間帯を、ロール１及び其れの現在関連付けるユーザーの関連時点から現在時点までの時間帯と設定する。従って、ロール１は、自分の２０１６年５月１日以降にわたる全ての操作記録を検分することができる。
【００９６】
検分権限時間帯を設置する単位は年、月、日、時、分、秒などである。
【実施例４】
【００９７】
時間帯に基づいて操作記録を検分する権限の設置方法は、以下のステップを含む。Ｓ４１：一つのロールを選択して一つの承認対象とする。
【００９８】
前記ロールはグループ／クラスではなく、独立した個体であり、一つのロールは同時間に唯一のユーザーを関連付けることができ、一人のユーザーは一つ或は複数のロールを関連付け、ユーザーはそれの関連付けたロールの権限を取得する。ロール（独立した個体の性質を有するロール）を作成した時或は後にそのロールのために一つの部門を選定すると、そのロールがその部門に属し、ロールの作業内容によりロールを承認し、且つそのロールの名称がその部門に唯一であり、そのロールの番号がシステムに唯一である。
【００９９】
前記ユーザーが異動する時、ユーザーと元の部門のロールの関連を取り消し、ユーザーを新しい部門のロールに関連付けると、ユーザーは元のロールの権限を自動的に失って新しいロールの権限を自動的に取得する。つまり、ユーザーはそれの関連付けたロールの権限を取得する。
【０１００】
従業員が入職する時、従業員に対応するユーザーにロールを関連付けた後、そのユーザーはそれの関連付けたロールの権限を自動的に取得する。従業員が離職する時、従業員に対応するユーザーとそのユーザーの関連付けたロールの関連関係を取り消した後、そのユーザーは元々関連付けたロールの権限を自動的に失う。
【０１０１】
ロール（独立した個体の性質を有するロール）を作成した後、ユーザーを作成するプロセスでロールを関連付けることができ、または、ユーザーを作成した後、いつでもロールを関連付けることができる。ユーザーは、ロールを関連付けた後ロールとの関係がいつでも解除でき、他のロールとの関係がいつでも確立できる。
【０１０２】
一人の従業員が一人のユーザーに対応し、一人のユーザーが一人の従業員に対応し、従業員がそれに対応するユーザーの関連付けるロールにより権限を決定（取得）する。
【０１０３】
更に、従業員がユーザーを一生結びつけ、ユーザーが従業員に対応した後、従ってそのユーザーがその従業員に属し、ユーザーが他のロールを関連付けることができない。その従業員が離職する場合、そのユーザーは他のロールにも対応することができない。従業員が再度入職した後、その従業員が依然として元のユーザーを使用する。
【０１０４】
Ｓ４２：承認対象ごとに一つ或は複数の検分対象を設置し、前記検分対象がロールである。
【０１０５】
前記検分対象は、承認対象とするロールであり、或は承認対象とするロール以外の全てのロールのうちの一つのロールを除く。
【０１０６】
Ｓ４３：検分対象ごとに一つの検分権限時間帯を設定し、前記承認対象は、それに対応する検分対象ごとが各検分対象の検分権限時間帯に操作記録を検分する権限を取得する。
【０１０７】
検分対象ごとに一つの検分権限時間帯をそれぞれ設定する時、その検分対象及び其れの現在関連付けるユーザーの関連時点を表示する。
【０１０８】
前記検分権限時間帯は、その検分対象及び其れの現在関連付けるユーザーの関連時点から固定時間を順にして得られた時点から、現在時点までの時間帯、その検分対象及び其れの現在関連付けるユーザーの関連時点から固定時間を逆にして得られた時点から、システムの初期化時点までの時間帯、その検分対象及び其れの現在関連付けるユーザーの関連時点から、システムの初期化時点までの時間帯、及び、その検分対象及び其れの現在関連付けるユーザーの関連時点から、現在時点までの時間帯という４種類のうちの一つ或は複数を含む。
【０１０９】
検分権限時間帯を設置する単位は年、月、日、時、分、秒などである。
【０１１０】
上記は本発明の優先的な実施形態だけである。本発明は、本明細書に開示された形態に限定されないと理解され、他の実施形態を除くとみなされなく、却って様々な他の組み合わせや修正や環境に利用でき、本明細書のコンセプトの範囲内で、上記の教示または関連分野の技術または知識により修正を行うことができる。当業者に行われる修正及び変更は、本発明の趣旨及び範囲から逸脱するものではなく、全部と本発明に添付される請求項の範囲内にあるべきである。
【図１】
2020530630.tif 000003
【図２】
2020530630.tif 000004
【図３】
2020530630.tif 000005
【図４】
2020530630.tif 000006
【図５】
2020530630.tif 000007
【図６】
2020530630.tif 000008
【国際調査報告】
2020530630.tif 000009
2020530630.tif 000010
2020530630.tif 000011
2020530630.tif 000012